(57)【要約】【課題】  モイスニングが良好に行われたか否かを簡単に判定することのできる収容物の検査方法と、この方法に好適な収容物を提供する。【解決手段】  再湿糊部を有するフラップを備え、再湿糊部が色素を含む液体によってモイスニングされて封緘された収容体。この収容体が、モイスニングされていたことを検査する収容体の検査方法であって、再湿糊部の色によってモイスニングされていたことを確認する確認工程を有する収容体の検査方法。【選択図】  図１
2006298457.tif 000002
【特許請求の範囲】
【請求項１】
再湿糊部を有するフラップを備え、
該再湿糊部が色素を含む液体によってモイスニングされて封緘された収容体。
【請求項２】
前記色素が、変色可能である請求項１記載の収容体。
【請求項３】
前記色素が、実質的な無色から有色へと変色可能である請求項２記載の収容体。
【請求項４】
前記色素が、ｐＨの変化によって変色可能な呈色指示薬である請求項２または３記載の収容体。
【請求項５】
再湿糊部を有するフラップを備え該再湿糊部が色素を含む液体によってモイスニングされて封緘された収容体が、モイスニングされていたことを検査する収容体の検査方法であって、
該再湿糊部の色によってモイスニングされていたことを確認する確認工程を有する収容体の検査方法。
【請求項６】
前記色素が変色可能であり、
前記確認工程の前に、該色素を変色させる変色工程を有する請求項５記載の方法。
【請求項７】
前記色素が、実質的な無色から有色へと変色可能であり、
該封緘された収容体において該色素が実質的に無色であり、
前記変色工程において、該色素を有色に変色させる請求項６記載の方法。
【請求項８】
前記色素がｐＨの変化によって変色可能な呈色指示薬であり、
前記変色工程において、再湿糊部のｐＨを変化させることにより該色素を変色させる請求項６または７記載の方法。
【発明の詳細な説明】
【技術分野】
【０００１】
本発明は、フラップを有する封筒などの収容体に関し、特にはフラップの再湿糊部をモイスニングすることにより封緘された収容体に関する。本発明はまた、このような収容体の検査方法に関する。
【背景技術】
【０００２】
従来から、再湿糊部が形成されたフラップを有する封筒を用い、この封筒内へ封入物を挿入した後、フラップにモイスニング処理を施し、フラップを封緘することが行われている。特には、自動封入封緘装置を用い、大量かつ高速に封入封緘することが行われている。
【０００３】
フラップには予め再湿糊が塗布され乾燥状態とされた再湿糊部が形成されており、モイスニングはこの再湿糊を湿らせて、再湿糊に粘着性を持たせる処理である。
【０００４】
モイスニングにおいては、例えば、噴霧ノズルから再湿糊部に水を噴霧すること、あるいは、水を含んだブラシを用いて再湿糊部に水を塗布することが行われている。
【０００５】
例えば特許文献１には、封筒内への封入物の封入や封筒の封緘などの作業を自動的に行う封入封緘装置に水を供給する封入封緘装置の水供給装置が開示され、噴霧ノズルを用いてフラップに水を噴霧することが開示されている。
【特許文献１】特開２００３−３４１６２３号公報
【発明の開示】
【発明が解決しようとする課題】
【０００６】
特に自動的に封入および封緘を行う封入封緘装置を用いて多量の封筒を封緘する場合においては、希にではあるが封緘が確実に行われないことがある。つまり、封筒のフラップが良好に接着していない封筒が発生することがある。このため、封緘状態を目視によって検査することも行われるが、目視検査も確実とは言えず、封筒が封緘不良の状態で発送され、宛先において封緘不良の封筒が発見される場合があった。
【０００７】
封緘不良の原因として、モイスニング不良が挙げられる。つまり、再湿糊部に水が良好に塗布されないために封緘が良好に行えない場合が考えられる。しかし、封緘不良の原因はこれだけではなく、そもそも再湿糊部が不良であれば再湿糊部に水が塗布されたとしても封緘不良が発生することが考えられる。
【０００８】
封緘不良の封筒が発見された場合に、どの段階で不良が発生したかを知ることは工程管理上大切なことである。このため、発見された封緘不良の封筒が良好にモイスニングされていたかどうかを判定したいという要望がある。しかし、モイスニングには水道水などの水が用いられており、水は透明であって蒸発してしまうため、水が再湿糊部に供給されていたか否かを判定することは困難であった。
【０００９】
本発明の目的は、再湿糊部をモイスニングするモイスニング工程を終え、その後時間が経ったとしても、モイスニング工程が良好に行われたか否かを簡単に判定することのできる収容物の検査方法を提供することである。
【００１０】
本発明の別の目的は、このような検査を容易に行いうる収容体を提供することである。
【課題を解決するための手段】
【００１１】
本発明により、再湿糊部を有するフラップを備え、
該再湿糊部が色素を含む液体によってモイスニングされて封緘された収容体が提供される。
【００１２】
前記色素が、変色可能であることが好ましい。
【００１３】
前記色素が、実質的な無色から有色へと変色可能であることが好ましい。
【００１４】
前記色素が、ｐＨの変化によって変色可能な呈色指示薬であることが好ましい。
【００１５】
本発明により、再湿糊部を有するフラップを備え該再湿糊部が色素を含む液体によってモイスニングされて封緘された収容体が、モイスニングされていたことを検査する収容体の検査方法であって、
該再湿糊部の色によってモイスニングされていたことを確認する確認工程を有する収容体の検査方法が提供される。
【００１６】
上記方法において、前記色素が変色可能であり、
前記確認工程の前に、該色素を変色させる変色工程を有することが好ましい。
【００１７】
上記方法において、前記色素が、実質的な無色から有色へと変色可能であり、
該封緘された収容体において該色素が実質的に無色であり、
前記変色工程において、該色素を有色に変色させることが好ましい。
【００１８】
上記方法において、前記色素がｐＨの変化によって変色可能な呈色指示薬であり、
前記変色工程において、再湿糊部のｐＨを変化させることにより該色素を変色させることが好ましい。
【発明の効果】
【００１９】
本発明によれば、再湿糊部をモイスニングするモイスニング工程を終え、その後時間が経ったとしても、モイスニング工程が良好に行われたか否かを簡単に判定することのできる収容物の検査方法が提供される。
【００２０】
また、本発明によれば、このような検査を容易に行いうる収容体が提供される。
【発明を実施するための最良の形態】
【００２１】
本発明において、モイスニングされる収容体としては、封緘のために再湿糊部を有するフラップを有する公知の収容体を適宜用いることができる。
【００２２】
収容体の例としては、封筒、段ボール箱などを挙げることができる。収容体の材料も紙（段ボール紙を含む）、樹脂など、収容体の材料として公知のものから適宜選べばよい。
【００２３】
収容体には通常内容物が収容され、封緘される。内容物については、使用する収容体に収容できるものを適宜選ぶことができる。
【００２４】
再湿糊としては、乾燥した塗膜状態で接着力が実質的になく、モイスニングによって接着性を発現する公知の再湿糊を適宜用いることができる。
【００２５】
再湿糊部は、フラップの適宜の部分に再湿糊を塗布して形成するなど、公知の再湿糊部の形成方法で形成できる。
【００２６】
本発明ではモイスニングに、色素を含む液体（色素含有液）を用いる。色素含有液としては、再湿糊部をモイスニング可能な液体であって、確認工程において、封緘された収容体の再湿糊部がモイスニングされていたことを確認できる程度の色を呈することのできる色素を含有する液体を用いることができる。
【００２７】
モイスニング可能な液体の代表例は水であるので、例えば、色素含有液として色素を含む水を用いることができる。
【００２８】
色素として、実質的に変色しない色素を用いることができる。ここで、長時間経過後に退色するような場合は、ここでいう実質的な変色には含まれない。あるいは色素として変色可能な色素を用いることもできる。例えば色素として呈色指示薬を用いることができる。モイスニングの際に色素が無色であってもよい。すなわち、モイスニングの際には色素含有液が無色であってもよい。
【００２９】
以下、図面を用い、収容体として封筒を例にして本発明の形態につき説明するが、本発明はこれによって限定されるものではない。
【００３０】
図１に示すように、封筒１０は、フラップ１１を有する。フラップ１１には再湿糊部１３が形成されている。この封筒に、同封物１２が封入されている。
【００３１】
この状態の封筒に、図２（ａ）に示すように、モイスニング手段２１によって色素含有液が供給される。特には、再湿糊部１３の好ましくは全体を含む領域に色素含有液が塗布され、色素含有液が付着したモイスニング部分１４が形成される。
【００３２】
モイスニング手段としては、色素含有液を用いることを除いては公知のモイスニング手段を用いることができる。例えば、色素含有液が適宜供給されるブラシや噴霧ノズルなどを用いることができる。
【００３３】
モイスニングの際に色素含有液が有色である場合には、モイスニング部分は色素含有液によって着色される。モイスニングに引き続いて封緘を行ってもよいが、封緘する前のこの段階で、図２（ｂ）に示すように、色検知手段２２によって再湿糊部の色を検知することによって、再湿糊部にモイスニングが行われたか否かを確認することもできる。
【００３４】
色検知手段には、色を検知することのできる公知のセンサを適宜用いることができる。例えば、色センサやＣＣＤ（電荷結合素子）などを用いることができる。なかでも構成が簡易で比較的安価なことから色センサが好ましい。
【００３５】
例えば、特定の色の光を投光する投光部と、投光された光が対象物で反射した反射光を受光する受光部を備え、受光部で反射光の強度を検知する色センサを用いることができる。このようなセンサとして例えば（株）キーエンス製、デジタルＲ・Ｇ・ＢセンサＣＺ−Ｖ２０（商品名）を挙げることができる。
【００３６】
色を検知する個所としては、モイスニングされるべき再湿糊部の大きさや形状、またセンサの色を検知できる範囲に応じて適宜決めることができる。
【００３７】
色検知手段によって所定の色が検知された場合、フラップを閉じて封筒を封緘すればよい。
【００３８】
所定の色が検知されなかった場合は異常が発生したものとして、適宜処置することができる。例えば、封入封緘装置を停止して不良品を手動で取り除くこともできる。あるいは、色検知手段によって所定の色が検知されたか否かによって収容体を選別する選別手段を用いることができる。例えば、所定の色が検知された封筒は封緘手段に送り、所定の色が検知されなかった封筒は、封緘手段には送らずに、自動的に不良品として排出するようにすることもできる。このような選別手段は、色検知手段からの信号に応じて自動的に収容体の搬送路を切り替える機構によって実現できる。このために、信号に応じて搬送路を切り替えることのできる公知の機構を利用することができる。
【００３９】
封緘手段としては、フラップを閉じて収容体を封緘することのできる公知の封緘機を用いることができる。
【００４０】
色素含有液によって再湿糊部がモイスニングされて封緘された収容体について、再湿糊部の色によって、モイスニングされていたことを容易に確認することができる。色素含有液が実質的に変色しない色素を含む場合、必要に応じてフラップを開けて収容体を開封し、再湿糊部に着色が認められれば色素含有液が付着していたこと、つまりモイスニングが行われていたことを確認することができる。これは目視によって簡単に行うことができる。
【００４１】
収容体の美観の観点から、色素含有液に含まれる色素が変色可能であることが好ましく、この色素が実質的な無色から有色へと変色可能であることがより好ましい。この色素が有色から実質的な無色へと変色可能でありかつ実質的な無色から有色へと変色可能であることがさらに好ましい。
【００４２】
以下、変色可能な色素を含む色素含有液を変色インクといい、有色から実質的な無色へと変色可能でありかつ実質的な無色から有色へと変色可能な色素を含む色素含有液を消発色インクという。なお、実質的な無色とは、色素含有液によってモイスニングされた部分の収容体の色が、モイスニングされる前のその部分の色と目視にて判別できない程度に、色素が無色であることを意味する。
【００４３】
変色インクを用いれば、封緘された収容体においてはモイスニング部に存在する色素が目立たない色であり、モイスニングされていたことを確認する確認工程の前にこの色素を目立つ色に変色させ、容易に目視可能とすることができる。収容体の色、特にはフラップ部の色にもよるが、例えば、封緘された収容体においてはモイスニング部は黄色などの目立ちにくい色で、確認工程の前にモイスニング部を赤や青などの目立ちやすい色に変色させることができる。さらに、モイスニング時に色素が赤や青などの目立ちやすい色であれば、色素がモイスニング時には目立ちやすい色で、封緘された後に変色して目立ちにくい色となり、確認工程の前に目立ちやすい色に戻すことが可能となる。これにより、確認工程、さらには封緘前の色検知を容易に行うことが可能でありながらも、封緘された収容体においては色素が目立たなくすることができる。封緘された収容体において色素が目立ちにくいと、例えば封緘された封筒が送付された宛先においては色素含有液が使用されたことに気づきにくい、あるいはこれによる違和感を覚えにくいといった利点がある。
【００４４】
また、色素が実質的な無色から有色へと変化可能であれば、封緘された収容体においてはモイスニング部に着色は認められないようにしつつも、確認工程を行う前に色素を発色させて確認工程を容易に行うことができる。さらに上記消発色インクを用いれば、封緘前には容易に色検知が可能で、その後色が消えて収容体の美観に影響しないようにし、確認工程の前に色素を発色させることで確認工程を容易にすることができる。
【００４５】
変色可能な色素として、ｐＨの変化によって変色する呈色指示薬を用いることができる。無色の状態をとりうる呈色指示薬は、実質的な無色から有色へと変色可能な色素として有用であり、さらには上記消発色インクを得るために有用である。
【００４６】
ｐＨの変化によって変色する変色インクとして、呈色指示薬を含む水を用いることができる。
【００４７】
呈色指示薬のなかでも、変色域がアルカリ性の範囲にある呈色指示薬が好ましい。アルカリ性の変色インクを、再湿糊部に供給すると、ｐＨが低下する。また、変色インクが空気に触れると、空気中の炭酸ガスによってｐＨが低下する。つまり、アルカリ性の変色インクを再湿糊部に供給すると、時間の経過とともにｐＨが低下する。例えばｐＨ１１以上から１０以下へと、大気中で自然に変化する。このようなｐＨ変化に伴って、呈色指示薬が変色することが好ましく、特には消色することが好ましい。
【００４８】
なお、空気によるｐＨ低下は比較的遅く進行する傾向があるが、紙や再湿糊の影響によるｐＨ低下は比較的速く進行する傾向がある。自動封入封緘装置で高速に処理する場合など、モイスニングから色検知までの時間が短い場合は、紙や再湿糊の影響によってｐＨが低下する前に封緘前の色検知が可能である。
【００４９】
また、酸性の液体は金属を腐食させる場合もあるが、アルカリ性の変色インクを用いれば、特段の腐食対策は不要である観点からも、アルカリ性の変色インクを用いてモイスニングすることが好ましい。
【００５０】
呈色指示薬としては例えば、ｐ−α−ナフトールフタレイン、フェノールフタレイン、チモールフタレインを用いることができる。
【００５１】
ｐ−α−ナフトールフタレイン水溶液の変色域はｐＨ７．０〜９．０であり、この変色域においてｐＨの低下とともに青色から黄色へと変色する。フェノールフタレイン水溶液の変色域は８．０〜１０．０であり、この変色域においてｐＨの低下とともに赤紫色から無色へと変色（消色）する。チモールフタレインの変色域はｐＨ９．４〜１０．６であり、この変色域においてｐＨの低下とともに青色から無色へと変色（消色）する。
【００５２】
このような呈色指示薬と、ｐＨを調整するためのアルカリ性物質とを含む水溶液を変色インク、特には消発色インクとして用いることができる。呈色指示薬がそのままでは水に溶けにくい場合などにおいては、呈色指示薬のエタノール溶液などを水に添加することもできる。
【００５３】
上記アルカリ性物質としては、例えば水酸化ナトリウム、水酸化カリウム、水酸化カルシウム、水酸化バリウム、水酸化銅、水酸化アルミニウム、水酸化鉄、水酸化アンモニウム、炭酸ナトリウム、炭酸カリウム等の既知のアルカリ性物質を用いることができる。
【００５４】
また、水としては必ずしも純水を用いる必要はなく、水道水や工業用水などを適宜用いてもよい。
【００５５】
呈色指示薬としてｐ−α−ナフトールフタレインを用いる場合は、その水溶液が検知工程で色検知可能な青色を呈するｐＨにアルカリ性物質を用いて調整すればよく、水溶液のｐＨを８以上１２以下に調整することが好ましい。色検知容易性の観点からｐＨ８以上が好ましく、別途収容体に情報を印字するための印刷インキへの影響を考慮するとｐＨ１２以下が好ましい。この水溶液を変色インクとして用いることができ、この水溶液を再湿糊部に供給してモイスニングすれば、モイスニングが行われた部分は青色に着色され、容易にこの青色を検知することができ、その後大気中でｐＨが自然に低下して青色が黄色に変化するようにすることができる。黄色は目立ちにくい色であるため、黄色が残っていても収容体の美観はあまり損なわれない。その後、確認工程を行う際には、黄色のままでモイスニングされていたことを確認できれば改めて変色させることなく確認しても良い。確認工程をより容易に行うためには、少なくとも再湿糊部を再びアルカリ性にすることができる。例えばフラップにｐＨ８以上のアルカリ性物質水溶液を塗布すればよい。
【００５６】
呈色指示薬としてフェノールフタレインを用いる場合は、水溶液が検知工程で色検知可能な桃色もしくは赤紫色を呈するｐＨにアルカリ性物質を用いて調整すればよく、アルカリ性物質によって水溶液のｐＨを１０以上１２以下に調整することが好ましい。この物質はｐＨ８以下では一旦赤色に発色するが、直ぐに淡赤色に２段階変色を起こす。そこで明らかな着色状態を維持するためにはｐＨ１０を以上保つ事が望ましい。別途収容体に情報を印字するための印刷インキへの影響を考慮するとｐＨ１２以下が好ましい。この水溶液を消発色インクとして用いることができ、この水溶液を再湿糊部に供給してモイスニングすれば、モイスニングが行われた部分は桃色もしくは赤紫色に着色され、容易にこの色を検知することができ、その後大気中でｐＨが自然に低下して色が消えるようにすることができる。色が消えれば、収容体の美観は損なわれない。その後、確認工程を行う際には、少なくとも再湿糊部を再びアルカリ性にすることによりモイスニング部を桃色もしくは赤紫色に発色させることができる。例えばフラップにｐＨ８以上のアルカリ性物質水溶液を塗布すればよい。
【００５７】
呈色指示薬としてチモールフタレインを用いる場合は、水溶液が検知工程で色検知可能な青色を呈するｐＨにアルカリ性物質を用いて調整すればよく、アルカリ性物質によって水溶液のｐＨを９以上１２以下に調整することが好ましい。色検知容易性の観点からｐＨ９以上が好ましく、別途収容体に情報を印字するための印刷インキへの影響を考慮するとｐＨ１２以下が好ましい。この水溶液もフェノールフタレイン水溶液と同様に消発色インクとして好適に用いることが可能である。確認工程を行う際には、例えばフラップにｐＨ９以上のアルカリ性物質水溶液を塗布すればよい。
【実施例】
【００５８】
以下、本発明を実施例に基づき更に詳細に説明するが、本発明はこれによって限定されるものではない。
【００５９】
〔実施例１〕
呈色指示薬としてフェノールフタレイン１質量％エタノール溶液を、アルカリ性物質として炭酸ナトリウムを、水として水道水（ｐＨ６．０）を用い、表１に示す処方でこれらを配合し、消発色インクを作成した。この段階の消発色インクのｐＨは表１に示すように、８．０であった。
【００６０】
フラップ部に再湿糊部が形成された定形郵便封筒を用意した。再湿糊部の寸法は１５ｍｍ×２０７ｍｍであった。この封筒に、Ａ４サイズの紙を折り畳んで同封した。
【００６１】
上記消発色インクを封筒の再湿糊部にブラシにより塗布してモイスニングしたところ、封筒が赤紫色に着色された。消発色インクの塗布量は２０ｍｇであった。
【００６２】
この再湿糊部を、色センサ（キーエンス（株）製、商品名：デジタルＲ・Ｇ・ＢセンサＣＺ−Ｖ２０）により検査したところ、容易に赤紫色を検知することができた。
【００６３】
次いで、フラップを閉じて再湿糊によるフラップの接着を行ったところ、良好に封緘することができた。
【００６４】
封緘した封筒を２４時間大気中で放置し、フラップを剥がして目視観察したところ、赤紫色は全く観察されず、消発色インクが赤紫色から無色へと変化したことが確認された。
【００６５】
表１に示す消発色インクの配合からフェノールフタレイン１質量％エタノール溶液を除いた配合の、すなわち水道水１５質量部に炭酸ナトリウム１．５質量部を溶解させたアルカリ水を用意した。このアルカリ水のｐＨは消発色インクと同じであった。フラップを剥がして目視観察した上記封筒のフラップにこのアルカリ水を塗布したところ、モイスニングした個所が赤紫色に変色した。すなわち、モイスニングが行われていたことを確認することができた。
【００６６】
別途、上記封筒を用意し、モイスニングを行わずに２４時間大気中で放置し、上記アルカリ水をフラップに塗布したが、フラップ部は無色のままであった。これによりモイスニングが行われなかったことを確認した。
【００６７】
〔実施例２〜４〕
消発色インクの配合をそれぞれ表１に示す配合に変更した以外は実施例１と同様にして封緘を行った。
【００６８】
実施例１の結果と同様、色センサにより容易にモイスニングの有無を検知することができた。また、２４時間大気中に放置した後は、封筒の赤紫色は消えていた。
【００６９】
さらに、それぞれ表１に示す消発色インクの配合からフェノールフタレインのエタノール溶液を除いた配合のアルカリ水を用意した。それぞれのアルカリ水のｐＨは消発色インクと同じであった。このアルカリ水をフラップに塗布したところ、モイスニングした個所が赤紫色に変色した。すなわち、いずれの実施例においてもモイスニングが行われていたことを確認することができた。
【００７０】
〔実施例５〕
表１に示す配合で、フェノールフタレインのエタノール溶液、炭酸ナトリウム、水道水を混合したところ、得られた水溶液は無色であった。消発色インクに替えてこの水溶液を用いたこと以外は実施例１と同様にしてモイスニングを行い、色センサにより検査を行ったが、再湿糊部に水が付着したこと、すなわちモイスニングが行われたことを検知することはできなかった。
【００７１】
しかし、封緘した封筒を２４時間大気中で放置した後、実施例１で用いたアルカリ水をフラップに塗布したところ、モイスニングした個所が赤紫色に変色した。すなわち、モイスニングが行われていたことを確認することができた。
【００７２】
【表１】
2006298457.tif 000003
【００７３】
〔比較例１〕
消発色インクに替えて水道水を用いたこと以外は実施例１と同様にしてモイスニングを行い、色センサにより検査を行ったが、再湿糊部に水が付着したこと、すなわちモイスニングが行われたことを検知することはできなかった。この封筒を封緘し、２４時間大気中で放置した。フラップを剥がして目視観察し、さらには実施例１で用いたアルカリ水をフラップに塗布したが、モイスニングが行われたことを判定することはできなかった。
【００７４】
〔実施例６〕
市販の自動封入封緘装置のモイスニング装置において、水の替わりに実施例１で用いた消発色インクを用い、モイスニング装置の直下流に実施例１で用いた色センサを取り付けた。色センサからは所定の色の検知の有無に対応するＯＮ／ＯＦＦ信号が出力されるが、所定の色の検知が無かったことに対応する信号があった場合に、封入封緘装置を停止するようにした。
【００７５】
この装置を用い、実施例１で用いた封筒及び同封物を用いて、高速（５０枚／分）で自動封入封緘を行った。
【００７６】
封入封緘された封筒を１０枚サンプリングし、そのフラップ部を観察したところ、いずれの封筒においても赤紫色が透けて見えた。この封筒を２４時間大気中に放置した後、フラップを剥がしたところ、いずれの封筒にも赤紫色は確認できなかった。
【００７７】
この１０枚の封筒のフラップ部に実施例１で用いたアルカリ水を塗布したところ、いずれの封筒においても赤紫色の発色が認められた。
【００７８】
また、強制的に消発色インクの供給を停止したところ、封入封緘装置が自動的に停止し、封緘不良の封筒を確認することができた。
【産業上の利用可能性】
【００７９】
本発明は、再湿糊部が形成されたフラップを有する封筒などを封緘する際の工程管理のために有益である。
【図面の簡単な説明】
【００８０】
【図１】再湿糊部を有するフラップを備える収容体の例を示す模式図である。
【図２】本発明の封緘方法の例を説明するための模式図である。
【符号の説明】
【００８１】
１０  封筒
１１  フラップ
１２  同封物
１３  再湿糊部
１４  モイスニングされた部分
２１  モイスニング手段
２２  色検知手段
【図１】
2006298457.tif 000004
【図２】
2006298457.tif 000005